(57)【要約】【課題】本発明は、記録媒体に記録された複数の動画像の記録時間の長短の概略をユーザが容易に認識可能となり、ユーザが削除候補として選択した動画像の削除作業を効率良く行うことができる画像記録再生装置を提供する。【解決手段】画像記録再生装置１００は、予め閾値として設定された記録時間よりも短い動画像とそれ以外の動画像を判別して、それらの動画像サムネイルをグループ化して表示する（第１の表示モード）。そして、第１の表示モードにおいて、ユーザにより削除候補となる動画像サムネイルが選択されると、選択された動画像サムネイルに時間的に前後する動画像サムネイルを同一画面上に並べて表示する（第２の表示モード）。【選択図】図４
2009141851.tif 000002
【特許請求の範囲】
【請求項１】
記録媒体に記録された複数の動画像データに基づいて動画像サムネイルを表示することが可能な画像記録再生装置において、
前記複数の動画像データの記録時間の長短を閾値によって判別し、その判別結果に応じてグループ化された動画像サムネイルを表示する第１の表示モードと、
前記第１の表示モードにおいて任意の動画像サムネイルが選択されると、当該選択された動画像サムネイル及び選択された動画像サムネイルの動画像データの記録時間に前後する動画像データの動画像サムネイルを同一画面上に表示する第２の表示モードに切り替え、前記選択された動画像サムネイルを削除するか否かを決定させる制御手段とを備えることを特徴とする画像記録再生装置。
【請求項２】
前記制御手段は、前記選択された動画像サムネイルを削除せずにキャンセルされた場合は、前記第１の表示モードに遷移することを特徴とする請求項１記載の画像記録再生装置。
【請求項３】
前記第１及び前記第２の表示モードの表示条件は任意に設定可能であることを特徴とする請求項１又は２記載の画像記録再生装置。
【請求項４】
前記閾値は、予め設定された動画像データの記録時間であることを特徴とする請求項１乃至３のいずれか１項に記載の画像記録再生装置。
【請求項５】
記録媒体に記録された複数の動画像データに基づいて動画像サムネイルを表示することが可能な画像記録再生装置の画像表示方法において、
前記複数の動画像データの記録時間の長短を閾値によって判別し、その判別結果に応じてグループ化された動画像サムネイルを表示する第１の表示モードと、
前記第１の表示モードにおいて任意の動画像サムネイルが選択されると、当該選択された動画像サムネイル及び選択された動画像サムネイルの動画像データの記録時間に前後する動画像データの動画像サムネイルを同一画面上に表示する第２の表示モードに切り替え、前記選択された動画像サムネイルを削除するか否かを決定させる制御工程とを備えることを特徴とする画像表示方法。
【請求項６】
前記制御工程では、前記選択された動画像サムネイルを削除せずにキャンセルされた場合は、前記第１の表示モードに遷移することを特徴とする請求項５記載の画像表示方法。
【請求項７】
前記第１及び前記第２の表示モードの表示条件は任意に設定可能であることを特徴とする請求項５又は６記載の画像表示方法。
【請求項８】
前記閾値は、予め設定された動画像データの記録時間であることを特徴とする請求項５乃至７のいずれか１項に記載の画像表示方法。
【請求項９】
請求項５乃至８のいずれか１項に記載の画像表示方法をコンピュータに実行させるためのコンピュータに読み取り可能なプログラム。
【発明の詳細な説明】
【技術分野】
【０００１】
本発明は、画像記録再生装置及び画像表示方法に関し、特に、記録媒体に記録された複数の動画像データに基づいて動画像のサムネイル表示することが可能な画像記録再生装置及び画像表示方法に関する。
【背景技術】
【０００２】
従来のデジタルカメラ、デジタルビデオカメラ等の画像記録再生装置には、標準的に装備される機能として、記録媒体に記録されている複数の静止画を同一画面に一覧表示（インデックス表示）するものがある。これにより、ユーザは、記録媒体に記録された複数の静止画から任意の画像を効率良く検索することができる。このような画像記録再生装置には、一覧表示可能な画像コンテンツとして、静止画のみならず、動画像をサムネイルとして表示可能なものがある。
【０００３】
また、近年、記録媒体の記録容量の大幅な増加に伴って記録媒体に大量の画像コンテンツが記録されるようになり、記録媒体に記録された大量の画像コンテンツに対する検索性の低下を防止するための機能が望まれている。例えば、図５に示すように、映像ファイルの属性情報を用いて、ＦＩＮＥ、ＳＰ、ＬＰという画質レベル毎に表示領域を設定して動画像サムネイルＬ１〜Ｌ６、Ｓ１〜Ｓ３を作成表示するデジタル記録再生装置が提案されている（例えば、特許文献１参照）。
【特許文献１】特開２００３−６１０３９号公報
【発明の開示】
【発明が解決しようとする課題】
【０００４】
しかしながら、上記従来技術における画像表示方法では、例えば、記録媒体に大量に記録された動画像の内容確認や不要な動画像を削除する場合、記録された複数の動画像の重要度を認識しにくいため、それらの作業の効率化が望まれている。
【０００５】
本発明は、記録媒体に記録された複数の動画像の記録時間の長短の概略をユーザが容易に認識可能となり、ユーザが削除候補として選択した動画像の削除作業を効率良く行うことができる画像記録再生装置及び画像表示方法を提供することを目的とする。
【課題を解決するための手段】
【０００６】
上記目的を達成するために、請求項１記載の画像記録再生装置は、記録媒体に記録された複数の動画像データに基づいて動画像サムネイルを表示することが可能な画像記録再生装置において、前記複数の動画像データの記録時間の長短を閾値によって判別し、その判別結果に応じてグループ化された動画像サムネイルを表示する第１の表示モードと、前記第１の表示モードにおいて任意の動画像サムネイルが選択されると、当該選択された動画像サムネイル及び選択された動画像サムネイルの動画像データの記録時間に前後する動画像データの動画像サムネイルを同一画面上に表示する第２の表示モードに切り替え、前記選択された動画像サムネイルを削除するか否かを決定させる制御手段とを備えることを特徴とする。
【０００７】
上記目的を達成するために、請求項５記載の画像記録再生装置の画像表示方法は、記録媒体に記録された複数の動画像データに基づいて動画像サムネイルを表示することが可能な画像記録再生装置の画像表示方法において、前記複数の動画像データの記録時間の長短を閾値によって判別し、その判別結果に応じてグループ化された動画像サムネイルを表示する第１の表示モードと、前記第１の表示モードにおいて任意の動画像サムネイルが選択されると、当該選択された動画像サムネイル及び選択された動画像サムネイルの動画像データの記録時間に前後する動画像データの動画像サムネイルを同一画面上に表示する第２の表示モードに切り替え、前記選択された動画像サムネイルを削除するか否かを決定させる制御工程とを備えることを特徴とする。
【発明の効果】
【０００８】
本発明によれば、記録媒体に記録された複数の動画像データの記録時間の長短の概略をユーザが容易に識別可能になると共に、ユーザが削除候補として選択した動画像サムネイルの動画像データの削除作業を効率良く行うことができる。
【発明を実施するための最良の形態】
【０００９】
以下、本発明の実施の形態を図面を参照して詳細に説明する。
【００１０】
図１は、本発明の実施形態に係る画像記録再生装置の構成を示すブロック図である。
【００１１】
図１において、本発明の実施形態に係る画像記録再生装置１００は、ビデオフレームメモリ１０１と、サムネイルバッファメモリ１０２と、ストリームバッファメモリ１０３と、ビデオベースバンド部１０４と、リサイズ部１０５とを備える。また、画像記録再生装置１００は、Ｃｏｄｅｃ部１０６と、ＤｉｓｃＩ／Ｆ部１０７と、ＣＰＵ１０８と、制御用データバス１０９と、記録媒体１１０と、外部命令入力部１１１と、管理情報検索回路１１２とを備える。なお、本実施の形態では、本発明に関わる要素のみを説明し、その他の構成要素、例えば再生機能や記録機能等については説明を省略する。
【００１２】
ビデオフレームメモリ１０１は、ビデオ出力する画像データを一時保持する。サムネイルバッファメモリ１０２は、リサイズ部１０５により縮小された縮小画像（サムネイル画像）データを一時保持する。ストリームバッファメモリ１０３は、ランダムアクセス可能なＣＤ、ＤＶＤ、ＨＤＤ、半導体メモリなどで構成された記録媒体１１０に記録されている動画像データを含むストリームデータを一時保持する。
【００１３】
ビデオベースバンド部１０４は、ビデオ同期信号を生成し、そのビデオ同期信号にあわせてビデオフレームメモリ１０１から画像データを読み出してビデオ出力する。リサイズ部１０５は、Ｃｏｄｅｃ部１０６から入力された画像データ、サムネイルバッファメモリ１０２に保持されている画像データ又はビデオフレームメモリ１０１に保持されている画像データのいずれかの画像データに対して拡大又は縮小のリサイズ処理を行う。そして、サムネイルバッファメモリ１０２またはビデオフレームメモリ１０１に出力する。通常の再生動作におけるサムネイル画像生成時には、リサイズ部１０５は、Ｃｏｄｅｃ部１０６から入力された画像データに対してリサイズ処理を行ない、サムネイルバッファメモリ１０２にリサイズ処理された画像データを出力する。
【００１４】
Ｃｏｄｅｃ部１０６は、ストリームバッファメモリ１０３に保持されているストリームデータを読み出し、該ストリームデータを伸張処理することにより得る画像データをリサイズ部１０５に出力する。ＤｉｓｃＩ／Ｆ部１０７は、記録媒体１１０に記録されているストリームデータを読み出し、ストリームバッファメモリ１０３に出力する。ＣＰＵ１０８は画像記録再生装置全体を制御する。制御用データバス１０９はＣＰＵ１０８と各ブロックをつなぐ制御用データバスである。
【００１５】
外部命令入力部１１１は、例えば、ユーザによるボタンやスイッチ（不図示）等の操作に応じてＣＰＵ１０８にフラグ信号を出力する。そのフラグ信号を受信したＣＰＵ１０８は、後述する手段により所定の領域に任意の情報を付加し、記録媒体１１０に記録させるように動作する。
【００１６】
管理情報検索回路１１２は、記録媒体１１０から再生された動画像データの再生情報により当該動画像データの記録時間の長さを解析し、解析した動画像データの記録時間をＣＰＵ１０８に出力する。ＣＰＵ１０８は、管理情報検索回路１１２から入力された動画像データの記録時間に基づいて、予め閾値として設定された記録時間を基準として動画像データの記録時間の長短を判別するように各処理ブロックを制御する。そして、その判別結果に応じてグループ化された動画像サムネイルを、表示領域を分けて画面表示するように各処理ブロックを制御する。
【００１７】
次に、本実施形態における画像表示方法であって、記録媒体１１０に記録された複数の動画像データに基づいて動画像サムネイルを表示する表示モードを図２を参照して説明する。
【００１８】
図２は、図１の画像記録再生装置１００上に表示される動画像サムネイルの画面を示す図であり、（ａ）は動画サムネイルモード時に表示される画面の一例、（ｂ）は削除確認モード時に表示される画面の一例を示す。
【００１９】
図２（ａ）に示す画面２００は、動画サムネイルモード（第１の表示モード）時に表示される画面である。第１の表示モードでは、複数の動画像データの記録時間の長短を予め閾値として設定された記録時間によって判別し、その判別結果に応じてグルーピングされた動画像サムネイルを表示するものである。画面２００上の領域２０２には、閾値よりも長時間の動画像データであると判別された動画像サムネイルＬ１〜Ｌ６が表示されている。一方、画面２００上の領域２０４には、閾値よりも短時間の動画像データであると判別された動画像サムネイルＳ１〜Ｓ３が表示されている。これらの表示は、ＣＰＵ１０８が上述した各処理ブロックを制御し、ビデオフレームメモリ１０１への書き込み及び読み出しのアドレスを制御することで容易に実現することができる。
【００２０】
第１の表示モードにおいて、図１の外部命令入力部１１１を経由し、ユーザが領域２０４から削除候補の動画像データの動画像サムネイルを選択すると、削除確認モード（第２の表示モード）へ遷移し、画面２００から図２（ｂ）に示す画面２２０へ切り替わる。なお、本実施形態では、領域２０４上に表示された動画像サムネイルＳ２  ２０６が選択されたものとして説明するが、領域２０２上に表示された動画像サムネイルから選択することも可能である。
【００２１】
第２の表示モードでは、削除候補として選択された動画像サムネイルと、選択された動画像サムネイルの動画像データに対して時間的に前後する動画像データの動画像サムネイルを同一画面上に並べて表示する。画面２００，２２０における表示条件はユーザが任意に設定することができる。
【００２２】
第２の表示モードでは、ＣＰＵ１０８がビデオフレームメモリ１０１への書き込み及び読み出しのアドレスを制御することによって、選択された動画像サムネイルＳ２  ２０６が画面中心に表示される。そして、その両脇には、動画像サムネイルＳ２  ２０６の動画像データと時間的に前後する動画像データの動画像サムネイルＬ３  ２２２，Ｌ２０  ２２６が表示される。ユーザは、これら３つの動画像サムネイルを参照しながら、削除しようとしている動画像サムネイルＳ２  ２０６の動画像データの重要度を確認し、削除したくなければ、キャンセルボタン２２８を選択し、削除してもよければ削除決定ボタン２３０を選択する。キャンセルボタン２２８が選択された場合は、画面２２０から画面２００に切り替わって第１の表示モードへ遷移する。一方、削除決定ボタン２３０が選択された場合は、ＣＰＵ１０８の制御によりビデオフレームメモリ１０１に保持された所定の画像データが削除される。
【００２３】
第２の表示モードは、第１の表示モードと同様に、ＣＰＵ１０８によりビデオフレームメモリ１０１への書き込み及び読み出しのアドレスを制御することによって容易に実現することができる。また、動画像サムネイルＳ２  ２０６の動画像データと時間的に前後する動画像データの動画像サムネイルＬ３  ２２２，Ｌ２０  ２２６は、各動画像データに付加されている管理情報をＣＰＵ１０８が認識する。そして、当該ＣＰＵ１０８が該当する動画像データを抽出して、動画像サムネイル表示される。
【００２４】
次に、上述した管理情報について図３を参照して説明する。
【００２５】
図３は、動画像データに付加されている管理情報が格納された領域の概略構成図である。
【００２６】
動画像データは、記録媒体１１０内に図示のような記録フォーマットで記録されている。記録フォーマット３００は、一般的なディスクカムコーダ等で用いられている記録フォーマットである。ＶＴＳ３０２は、記録フォーマット３００中のＶＴＳの内容を示す情報であり、所定領域のユーザ領域（User Area）が確保されている。Ｐａｃｋ３０４は、ＶＴＳ３０２中のＶＯＢＳの内容を示す情報である。
【００２７】
Ｐａｃｋ３０４の最終領域にもユーザ領域が確保されている。Ｐａｃｋ３０４の構成はＧＯＰの集合体である。１つのＧＯＰ３０８にも、複数のユーザ領域３１０，３１２，３１４，３１６が確保されている。なお、記録フォーマット３００は、標準的なフォーマットであるため、その詳細な説明は省略する。
【００２８】
本実施の形態では、上記いずれかのユーザ領域に管理情報を記録する構成となっている。管理情報検索回路１１２は、各動画像データのユーザ領域を検索し、その検索結果をＣＰＵ１０８へ伝えることで図２を用いて説明した動作が可能となる。
【００２９】
図４は、画像記録再生装置１００における動画像サムネイルの表示処理を示すフローチャートである。本処理は、ＣＰＵ１０８が不図示のメモリ等から読み出した制御プログラムに基づいて実行される処理である。
【００３０】
図４において、ステップＳ４０２では、ＣＰＵ１０８は、サムネイル表示モードになっているか否かを判別し、サムネイル表示モードでなければ、本処理を終了する。一方、サムネイル表示モードであれば、ステップＳ４０４へ移行し、ＣＰＵ１０８が第１の表示モードに切り替えて、図２（ａ）に示すような画面２００を不図示の表示部に表示する。ここで、第１の表示モードで画面上の領域２０２，２０４に表示される各動画サムネイルの数や位置等の表示条件については、外部命令入力部１１１を介してユーザが設定可能である。
【００３１】
次に、第１の表示モードに切り替えた後、ＣＰＵ１０８は、削除候補の動画像サムネイルが選択されたか否かを判別し、選択されていなければ、ステップＳ４０４へ戻り、第１の表示モードを維持する。一方、削除候補の動画像サムネイルが選択された場合は、ステップＳ４０８へ移行し、ＣＰＵ１０８は第２の表示モードに切り替え、図２（ｂ）に示すような画面２２０を表示部に表示する。
【００３２】
次に、ＣＰＵ１０８は、画面２２０上の削除決定ボタン２３０又はキャンセルボタン２２８のいずれかが選択されるまで待機状態となる（ステップＳ４１０）。キャンセルボタン２２８が選択された場合は（ステップＳ４１０でＮＯ）、ステップＳ４１６に移行する一方、削除決定ボタン２３０が選択された場合は、ステップＳ４１４へ移行し、ＣＰＵ１０８が削除処理を実行する。この削除処理では、ＣＰＵ１０８は、ステップＳ４０６で選択された動画像サムネイルに対応する画像データをビデオフレームメモリ１０１から削除する。削除処理が終了すると、ステップＳ４１６へ移行し、ＣＰＵ１０８は、サムネイル表示モードの継続がなされたか否かを判別し、継続がなされた場合は、ステップＳ４０４へ移行し、第１の表示モードに切り替える。サムネイル表示モードの継続がなされなかった場合は、ＣＰＵ１０８は、サムネイル表示モードを終了し、本処理を終了する。サムネイル表示モードの継続がなされたか否かについては、例えば、外部命令入力部１１１を介してユーザからサムネイル表示モードの終了指示がなされたか否かに応じて行われるが、これに限定されるものでない。
【００３３】
上記実施形態によれば、予め閾値として設定された記録時間よりも短い動画像データとそれ以外の動画像データを判別して、それらの動画像サムネイルをグループ化して表示する（第１の表示モード）。そして、第１の表示モードにおいて、ユーザにより削除候補となる動画像サムネイルが選択されると、選択された動画像サムネイルに時間的に前後する動画像サムネイルを同一画面上に並べて表示する（第２の表示モード）。これにより、記録媒体１１０に記録された複数の動画像データの記録時間の長短の概略をユーザが容易に識別可能になる。その上、ユーザが削除候補として選択した動画像データに時間的に前後する動画像の内容を動画像サムネイルで確認可能であることから動画像データの削除作業を効率良く行うことができる。
【００３４】
なお、上記実施の形態では、本発明をデジタルカメラやデジタルビデオカメラ等の画像記録再生装置１００に適用した実施形態について説明したが、これに限定されることはなく、画像再生装置であってもよい。また、本発明をパーソナルコンピュータやＰＤＡ等の情報処理装置や携帯電話に適用することも可能である。
【００３５】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００３６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００３７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００３８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００３９】
【図１】本発明の実施形態に係る画像記録再生装置の構成を示すブロック図である。
【図２】図１の画像記録再生装置１００上に表示される動画像サムネイルの画面を示す図であり、（ａ）は動画サムネイルモード時に表示される画面の一例、（ｂ）は削除確認モード時に表示される画面の一例を示す。
【図３】動画像データに付加されている管理情報が格納された領域の概略構成図である。
【図４】画像記録再生装置１００における動画像サムネイルの表示処理を示すフローチャートである。
【図５】従来の画像記録再生装置における動画サムネイルの表示画面の一例を示す図である。
【符号の説明】
【００４０】
１００  画像記録再生装置
１０１  ビデオフレームメモリ
１０２  サムネイルバッファメモリ
１０３  ストリームバッファメモリ
１０５  リサイズ部
１０６  Ｃｏｄｅｃ部
１０７  ＤｉｓｃＩ／Ｆ部
１０８  ＣＰＵ
１１０  記録媒体
１１１  外部命令入力部
１１２  管理情報検索回路
【図１】
2009141851.tif 000003
【図２】
2009141851.tif 000004
【図３】
2009141851.tif 000005
【図４】
2009141851.tif 000006
【図５】
2009141851.tif 000007